【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
使用者の手への手袋の衛生的な配置のための供給装置であって、粘着性表面を含む手袋開口システムを備え、前記手袋が、第１および第２の層から形成され、前記手袋開口システムは、前記粘着性表面が前記手袋の前記第１および第２の層に付着するように前記第１及び第２の層に前記粘着性表面を接触させ、その後、前記手袋を開いて使用者が前記手袋に自身の手を挿入することを可能にするように、前記手袋の付着した前記第１及び第２の層を互いから引き離すように動作可能である、供給装置。
【請求項２】
前記手袋が、連続的な手袋の列の端部の手袋である、請求項１に記載の供給装置であって、前記供給装置が、さらに、
前記連続的な手袋の列を格納するための格納部であって、前記列の前記手袋のうちの互いに隣り合う手袋が、前記手袋を互いから分離するように破断可能である第１の脆性連結部によって互いに連結され、各手袋が、第１および第２の層から形成され、前記手袋の開いた履き口を形成するように前記第１の脆性連結部に交差して配置される手袋縁部を有する、格納部と、
前記手袋の列を送り出して、前記列の端部の手袋を前記供給装置の手挿入ゾーンに配置する、手袋列送り機構と、を備え、
前記手袋開口システムは、前記手挿入ゾーンにおいて使用者が前記手袋の前記開いた履き口に自身の手を挿入するのを可能にするように配置される、供給装置。
【請求項３】
前記手袋開口システムが、前記手挿入ゾーンに配置される、請求項２に記載の供給装置。
【請求項４】
前記手袋開口システムが、前記粘着性表面をそれぞれ提供する一対の手袋開口要素を備え、前記手袋開口システムは、前記粘着性表面と前記手袋の対応する前記第１及び第２の層との接触を生じさせるように前記一対の手袋開口要素の少なくとも一方の手袋開口要素を、前記一対の手袋開口要素の他方に向かって動かし、それによって前記手袋の前記第１及び第２の層は前記粘着性表面に付着し、次いで、付着した前記第１及び第２の層を互いから分離するように前記少なくとも一方の手袋開口要素を他方の手袋開口要素から離れるように動かし、それによって前記手袋を開くように動作可能である、請求項２または３に記載の供給装置。
【請求項５】
前記一対の手袋開口要素が、前記供給装置から取外し可能であり、それぞれ、前記粘着性表面を提供するコーティングを有する、請求項４に記載の供給装置。
【請求項６】
前記粘着性表面が、前記手袋開口要素から取外し可能なグリップ部の表面である、請求項４に記載の供給装置。
【請求項７】
前記コーティングが、ケイ素コーティング、ポリウレタンコーティング、およびエポキシコーティングからなる群から選択される、請求項６に記載の供給装置。
【請求項８】
前記一対の手袋開口要素が、一対のアームを備え、前記一対のアームが、互いに対して対向して設けられており、前記粘着性表面と前記手袋の前記第１及び第２の層とを接触させるように互いに向かって動かされ、前記手袋を開くように互いから離れるように動かされるように動作可能である、請求項４に記載の供給装置。
【請求項９】
前記粘着性表面が、前記アームから取外し可能である、請求項８に記載の供給装置。
【請求項１０】
前記粘着性表面が、前記アーム上に受けられる取外し可能なスリーブによって提供される、請求項８または９に記載の供給装置。
【請求項１１】
前記粘着性表面が、前記アームに固定されるグリップ部によって提供される、請求項８に記載の供給装置。
【請求項１２】
前記手袋列送り機構が、前記手挿入ゾーンへと下方に前記手袋の列を送り出すように構成される、請求項１から１１のいずれか一項に記載の供給装置。
【請求項１３】
前記連続的な手袋の列と組み合わされる請求項２から１２のいずれか一項に記載の供給装置。
【請求項１４】
手袋のパッケージから手袋を供給するための手袋供給装置の手袋開口要素であって、前記手袋の各々は、第１および第２の層から形成され、前記パッケージの前記手袋は、列をなして互いに接合され、前記手袋のうちの互いに隣り合う手袋が、前記手袋を互いから分離するように破断可能な脆性連結部によって連結され、前記手袋開口要素が、使用時に前記列の端部の前記手袋に一時的に付着する粘着性表面を備える支持体を備えており、前記支持体が、前記手袋供給装置に取り付けられて、前記手袋の対応する前記層に接触するように動くように構成され、それにより、前記手袋供給装置の動作中、前記粘着性表面が、前記手袋の対応する層に付着し、前記手袋の他方の層に対する前記支持体の相対運動によって前記手袋を開く、手袋開口要素。
【請求項１５】
手袋のパッケージから手袋を供給するための手袋供給装置の手袋開口要素であって、前記手袋の各々は、第１および第２の層から形成され、前記パッケージの前記手袋は、列をなして互いに接合され、前記手袋のうちの互いに隣り合う手袋が、前記手袋を互いから分離するように破断可能な脆性連結部によって連結され、前記手袋開口要素が、使用時に前記列の端部の前記手袋に一時的に付着する粘着性表面を備える支持体を備えており、前記支持体が、前記手袋供給装置に取り付けられるように構成され、前記粘着性表面が、前記支持体に配置され、前記手袋開口要素は、別の粘着性表面を有する前記供給装置の別の手袋開口要素と共に、動かされて前記手袋に接触するように動作可能であり、それにより、前記手袋の各層が、前記手袋開口要素の前記粘着性表面のそれぞれに付着し、前記手袋開口要素のうちの少なくとも一方が他方の手袋開口要素から遠ざかるように動かされた際、前記手袋の開いた履き口への使用者の手の挿入のために、付着した前記各層が、前記供給装置の動作により互いから引き離されて前記手袋を開く、手袋開口要素。
【請求項１６】
手袋のパッケージから手袋を供給するための手袋供給装置の手袋開口要素の支持体に取り付けられるように構成されるグリップ部であって、前記手袋は、列をなして互いに接合され、前記手袋のうちの互いに隣り合う手袋が、前記手袋を互いから分離するように破断可能な脆性連結部によって連結され、前記グリップ部が、前記手袋の層に接触するように配置される粘着性表面を有して、前記供給装置の手袋開口動作中、前記粘着性表面に前記手袋の層を一時的に付着させて、前記開いた手袋への使用者の手の挿入を可能にする、グリップ部。
【請求項１７】
手への手袋の衛生的な配置の方法であって、
前記手袋の供給のための供給装置に使い捨て手袋を装填するステップであって、各手袋が、第１および第２の層から形成され、前記供給装置が、粘着性表面を含む手袋開口システムを備え、前記手袋開口システムは、前記粘着性表面が各手袋の前記第１および第２の層に付着するように、前記第１および第２の層に前記粘着性表面を接触させ、その後、前記手袋の付着した前記第１および第２の層を互いから引き離して、使用者が前記手袋の開いた履き口に自身の手を挿入することを可能にするように動作可能である、ステップと、
前記供給装置の前記手袋開口システムを作動させるステップであって、それにより、前記手袋開口システムの前記粘着性表面が、前記手袋の前記第１および第２の層に付着し、前記手袋への使用者の手の挿入のために前記第１および第２の層を互いから引き離して前記手袋を開く、ステップと、を含む、方法。
【請求項１８】
手袋の衛生的な供給方法であって、
前記手袋の供給のための供給装置に装填されるための、使い捨て手袋のパッケージを提供するステップであって、前記パッケージが、列をなして互いに接合される複数の手袋を備え、前記手袋のうちの互いに隣り合う手袋が、前記手袋を互いから分離するように破断可能な第１の脆性連結部によって互いに連結され、手袋縁部が、前記第１の脆性連結部に交差して配置されて各手袋の開いた履き口を形成し、各手袋の少なくとも１つの指部が、前記手袋の隣り合う指部または親指部に、前記第１の脆性連結部とは別の脆性連結部によって連結され、前記別の脆性連結部は、前記手袋の互いに連結された前記指部または互いに連結された前記指部及び前記親指部を互いから分離するように破断可能であり、各手袋が、第１および第２の層から形成される、ステップと、
前記供給装置に使い捨て手袋の前記パッケージを装填するステップと、
前記手袋の列から手袋を供給するための前記供給装置を作動させるステップであって、前記供給装置が、前記手袋の列を送り出して前記供給装置の手挿入ゾーンに前記列の端部の前記手袋を配置する手袋列送り機構と、粘着性表面を含む手袋開口システムと、を備え、前記手袋開口システムは、前記粘着性表面が前記手袋の前記第１および第２の層に付着するように、前記第１および第２の層に前記粘着性表面を接触させ、その後、前記手袋の付着した前記第１および第２の層を互いから引き離して使用者が前記手袋の前記開いた履き口に自身の手を挿入することを可能にするように動作可能である、ステップと、を含む、方法。
【請求項１９】
列をなして互いに接合された複数の手袋であって、前記手袋のうちの互いに隣り合う手袋が、前記手袋を互いから分離するように破断可能である第１の脆性連結部によって互いに連結される、複数の手袋と、
各手袋の開いた履き口を形成するように、前記第１の脆性連結部に交差して配置される手袋縁部と、を備え、各手袋の少なくとも１つの指部が、前記手袋の隣り合う指部または親指部に、前記第１の脆性連結部とは別の脆性連結部によって連結され、前記別の脆性連結部は、前記手袋の互いに連結された前記指部または互いに連結された前記指部及び前記親指部を、互いから分離するように破断可能である、
使い捨て手袋のパッケージ。
【請求項２０】
前記手袋の前記互いに連結された指部または前記互いに連結された指部及び親指部が、前記別の脆性連結部によって互いに対してすぐ隣に保持される、請求項１９に記載のパッケージ。
【請求項２１】
前記別の脆性連結部が、前記手袋の前記互いに連結された指部または前記互いに連結された指部及び親指部のそれぞれの外縁部の少なくとも一部を画定する、請求項１９または２０に記載のパッケージ。
【請求項２２】
前記別の脆性連結部は、前記手袋の前記互いに連結された指部または前記互いに連結された指部及び親指部が互いに対して自由に動くのを可能にするように破断可能である、請求項１９または２０に記載のパッケージ。
【請求項２３】
前記手袋の指部の各々が、前記別の脆性連結部によって前記手袋の隣り合う指部または親指部に連結される、請求項１９から２２のいずれか一項に記載のパッケージ。
【請求項２４】
各手袋が、１つまたは複数の機械位置合わせガイド部を有する、請求項１９から２３のいずれか一項に記載のパッケージ。
【請求項２５】
前記１つまたは複数の機械位置合わせガイド部が、前記手袋に配置される少なくとも１つのガイド開口を備える、請求項２４に記載のパッケージ。 
【手続補正２】
【補正対象書類名】明細書
【補正対象項目名】００９２
【補正方法】変更
【補正の内容】
【００９２】
前述のものには本発明の例示的な実施形態が記載されており、本発明の範囲から逸脱しない限り、訂正、修正、追加および／または変更が本発明になされてもよいことが理解されよう。したがって、記載される実施形態は、単なる例示的なものであり、限定的なものではない。したがって、上述の種々の実施形態は、他の機能または実施形態と共に実施されてもよい。たとえば、ある実施形態の態様が別の実施形態の態様と組み合わせられて、本発明のさらに追加的な実施形態を実現してもよい。
本発明は、以下の態様を含む。
１．列をなして互いに接合された複数の手袋であって、前記手袋のうちの互いに隣り合う手袋が、前記手袋を互いから分離するように破断可能である第１の脆性連結部によって互いに連結される、複数の手袋と、
各手袋の開いた履き口を形成するように、前記第１の脆性連結部に交差して配置される手袋縁部と、を備え、各手袋の少なくとも１つの指部が、前記手袋の隣り合う指部または親指部に、前記第１の脆性連結部とは別の脆性連結部によって連結され、前記別の脆性連結部は、前記手袋の互いに連結された前記指部または互いに連結された前記指部及び前記親指部を、互いから分離するように破断可能である、
使い捨て手袋のパッケージ。
２．前記手袋の前記互いに連結された指部または前記互いに連結された指部及び親指部が、前記別の脆性連結部によって互いに対してすぐ隣に保持される、上記１．に記載のパッケージ。
３．前記別の脆性連結部が、前記手袋の前記互いに連結された指部または前記互いに連結された指部及び親指部のそれぞれの外縁部の少なくとも一部を画定する、上記１．または２．に記載のパッケージ。
４．前記別の脆性連結部は、前記手袋の前記互いに連結された指部または前記互いに連結された指部及び親指部が互いに対して自由に動くのを可能にするように破断可能である、上記１．または２．に記載のパッケージ。
５．前記手袋の指部の各々が、前記別の脆性連結部によって前記手袋の隣り合う指部または親指部に連結される、上記１．から４．のいずれかに記載のパッケージ。
６．前記第１の脆性連結部が、一つの前記手袋の親指部または小指部を、前記列内で前記一つの手袋に隣り合う手袋の小指部または親指部に接合する、上記１．から５．のいずれかに記載のパッケージ。
７．前記第１の脆性連結部が、前記手袋縁部から前記一つの手袋の前記親指部の上方部へと延在し、かつ前記隣り合う手袋の前記小指部の下方部へと延在する、上記６．に記載のパッケージ。
８．前記第１の脆性連結部が、前記一つの手袋の前記親指部を前記隣り合う手袋の前記小指部に接合する、上記６．に記載のパッケージ。
９．前記手袋が、さらにウェブ部を備え、前記ウェブ部は、前記手袋の手のひら部の一方の側から、前記手袋を隣り合う上流側の手袋に連結する前記第１の脆性連結部へと延在する、上記１．から８．のいずれかに記載のパッケージ。
１０．前記手袋が、前記手のひら部の前記一方の側と反対の側から、隣り合う下流側の手袋に前記手袋を連結する前記第１の脆性連結部へと延在する別のウェブ部を備える、上記９．に記載のパッケージ。
１１．各手袋が、１つまたは複数の機械位置合わせガイド部を有する、上記１．から１０．のいずれかに記載のパッケージ。
１２．前記１つまたは複数の機械位置合わせガイド部が、前記手袋に配置される少なくとも１つのガイド開口を備える、上記１１．に記載のパッケージ。
１３．前記手袋を供給するための手袋供給装置と組み合わせられた、上記１．から１２．のいずれかに記載の使い捨て手袋のパッケージ。
１４．使い捨て手袋であって、前記手袋の少なくとも１つの指部が、前記手袋の隣り合う指部または親指部に脆性連結部によって連結され、前記脆性連結部は、前記手袋の互いに連結された前記指部または互いに連結された前記指部及び前記親指部を、互いから分離するように破断可能である、使い捨て手袋。
１５．前記手袋の前記互いに連結された指部または前記互いに連結された指部及び親指部が、前記脆性連結部によって互いに対してすぐ隣に保持される、上記１４．に記載の使い捨て手袋。
１６．前記脆性連結部は、前記手袋の前記互いに連結された指部または前記互いに連結された指部及び親指部が互いに対して自由に動くのを可能にするように破断可能である、上記１４．に記載の使い捨て手袋。
１７．前記脆性連結部が、前記手袋の前記互いに連結された指部または前記互いに連結された指部及び親指部のそれぞれの外縁部の少なくとも一部を画定する、上記１４．から１６．のいずれかに記載のパッケージ。
１８．前記手袋の指部および親指部の各々が、前記脆性連結部によって連結される、上記１．から１７．のいずれか一項に記載のパッケージ。
１９．使用者の手への手袋の衛生的な配置を可能にする供給装置であって、
連続的な手袋の列を格納するための格納部であって、前記手袋のうちの互いに隣り合う手袋が、前記手袋を互いから分離するように破断可能である第１の脆性連結部によって互いに連結され、各手袋が、第１および第２の層から形成され、前記手袋の開いた履き口を形成するように前記第１の脆性連結部に交差して配置される手袋縁部を有する、格納部と、
前記手袋の列を送り出して、前記列の端部の手袋を前記供給装置の手挿入ゾーンに配置する、手袋列送り機構と、
粘着性表面を含む手袋開口システムであって、前記粘着性表面を前記端部の手袋の前記第１および第２の層に付着させるように、前記粘着性表面を前記第１及び第２の層に接触させ、その後、前記手挿入ゾーンにおいて使用者が前記手袋の前記開いた履き口に自身の手を挿入するのを可能にするように前記手袋の付着させた前記第１及び第２の層を互いから引き離すように動作可能である、手袋開口システムと、を備える、供給装置。
２０．前記手袋開口システムが、前記手挿入ゾーンに配置される、上記１９．に記載の供給装置。
２１．前記手袋開口システムが一対の手袋開口要素を備え、前記一対の手袋開口要素の各々が、その内側面に粘着性表面を有し、前記手袋開口システムは、記粘着性表面と前記手袋の対応する前記第１及び第２の層との接触を生じさせるように前記一対の手袋開口要素の少なくとも一方の手袋開口要素を、前記一対の手袋開口要素の他方に向かって動かし、それによって前記手袋の前記第１及び第２の層は前記粘着性表面に付着し、次いで、付着した前記第１及び第２の層を互いから分離するように前記少なくとも一方の手袋開口要素を他方の手袋開口要素から離れるように動かし、それによって前記手袋を開くように動作可能である、上記１９．または２０．に記載の供給装置。
２２．前記一対の手袋開口要素が、前記供給装置から取外し可能であり、それぞれ、前記粘着性表面を提供する材料でコーティングされている、上記２１．に記載の供給装置。
２３．前記粘着性表面が、前記手袋開口要素から取外し可能なグリップ部の表面である、上記２１．に記載の供給装置。
２４．前記コーティングが、ケイ素コーティング、ポリウレタンコーティング、およびエポキシコーティングからなる群から選択される、上記２３．に記載の供給装置。
２５．前記一対の手袋開口要素が、一対のアームを備え、前記一対のアームが、互いに対して対向して設けられており、前記粘着性表面と前記手袋の前記第１及び第２の層とを接触させるように互いに向かって動かされ、前記手袋を開くように互いから離れるように動かされるように動作可能である、上記２１．に記載の供給装置。
２６．前記粘着性表面が、前記アームから取外し可能である、上記２５．に記載の供給装置。
２７．前記粘着性表面が、前記アーム上に受けられる取外し可能なスリーブによって提供される、上記２５．または２６．に記載の供給装置。
２８．前記粘着性表面が、前記アームに固定されるグリップ部によって提供される、上記２５．に記載の供給装置。
２９．前記手袋列送り機構が、前記手挿入ゾーンへと下方に前記手袋の列を送り出すように構成される、上記１９．から２８．のいずれかに記載の供給装置。
３０．
前記手袋列送り機構が、前記手袋の列を受けるように動作可能な一対の対向するローラーを備え、前記ローラーのうちの少なくとも一方が、前記供給装置の前記手挿入ゾーンに前記手袋のうちの前記端部の手袋を配置するように前記手袋の列を送り出すように駆動可能である、上記１９．から２９．のいずれかに記載の供給装置。
３１．前記手袋の列が前記ローラーの動作によって送り出されるとき、前記ローラーが、前記供給装置の中で固定位置に保持されるように構成される、上記３０．に記載の供給装置。
３２．前記手挿入ゾーンに向かって前記手袋の列を送り出す前記ローラーの動作に先立って、前記ローラーが、前記連続的な手袋の列が前記ローラー同士の間に送られるのを可能にするように互いから分離可能である、上記３０．または３１．に記載の供給装置。
３３．前記ローラーが、前記手挿入ゾーンへと実質上鉛直下方に前記手袋の列を送り出すように構成される、上記３０．から３２．のいずれかに記載の供給装置。
３４．前記手挿入ゾーンへと前記手袋の列を送り出すように前記ローラーのうちの前記少なくとも一方を駆動するモータをさらに備え、前記供給装置は、前記モータが作動されることになる速度および時間のうちの少なくとも一方を決定するように各手袋の指標部を読み取るように動作可能である、上記３０．から３３．のいずれか一項に記載の供給装置。
３５．使用者の手への手袋の衛生的な配置のための供給装置であって、粘着性表面を含む手袋開口システムを備え、前記手袋が、第１および第２の層から形成され、前記手袋開口システムは、前記粘着性表面が前記手袋の前記第１および第２の層に付着するように前記第１及び第２の層に前記粘着性表面を接触させ、その後、前記手袋を開いて使用者が前記手袋に自身の手を挿入することを可能にするように、前記手袋の付着した前記第１及び第２の層を互いから引き離すように動作可能である、供給装置。
３６．使用者の手への手袋の衛生的な配置を可能にする供給装置であって、
連続的な手袋の列を格納するための格納部であって、前記手袋のうちの互いに隣り合う手袋は、前記手袋を互いから分離するように破断可能である第１の脆性連結部によって互いに連結され、各手袋は２つの層から形成され、かつ、前記手袋の開いた履き口を形成するように前記脆性連結部に交差して配置される手袋縁部を有する、格納部と、
前記連続的な手袋の列を受けるように動作可能な一対のローラーを備える手袋列送り機構であって、前記ローラーのうちの少なくとも一方が、前記供給装置の手挿入ゾーンに前記手袋のうちの端部の手袋を配置するように前記手袋の列を送り出すように駆動可能である、手袋列送り機構と、
前記端部の手袋の前記２つの層を分離させ、それによって使用者が前記手袋の前記開いた履き口に自身の手を挿入することを可能にするように動作可能な手袋開口システムと、を備える、供給装置。
３７．前記手袋開口システムが、前記手挿入ゾーンに配置される、上記３６．に記載の供給装置。
３８．手袋のパッケージから手袋を供給するための手袋供給装置の手袋開口要素であって、前記手袋の各々は、第１および第２の層から形成され、前記パッケージの前記手袋は、列をなして互いに接合され、前記手袋のうちの互いに隣り合う手袋が、前記手袋を互いから分離するように破断可能な脆性連結部によって連結され、前記手袋開口要素が、使用時に前記列の端部の前記手袋に一時的に付着する粘着性表面を備える支持体を備えており、前記支持体が、前記手袋供給装置に取り付けられて、前記手袋の対応する前記層に接触するように動くように構成され、それにより、前記手袋供給装置の動作中、前記粘着性表面が、前記手袋の対応する層に付着し、前記手袋の他方の層に対する前記支持体の相対運動によって前記手袋を開く、手袋開口要素。
３９．手袋のパッケージから手袋を供給するための手袋供給装置の手袋開口要素であって、前記手袋の各々は、第１および第２の層から形成され、前記パッケージの前記手袋は、列をなして互いに接合され、前記手袋のうちの互いに隣り合う手袋が、前記手袋を互いから分離するように破断可能な脆性連結部によって連結され、前記手袋開口要素が、使用時に前記列の端部の前記手袋に一時的に付着する粘着性表面を備える支持体を備えており、前記支持体が、前記手袋供給装置に取り付けられるように構成され、前記粘着性表面が、前記支持体に配置され、前記手袋開口要素は、別の粘着性表面を有する前記供給装置の別の手袋開口要素と共に、動かされて前記手袋に接触するように動作可能であり、それにより、
前記手袋の各層が、前記手袋開口要素の前記粘着性表面のそれぞれに付着し、前記手袋開口要素のうちの少なくとも一方が他方の手袋開口要素から遠ざかるように動かされた際、前記手袋の開いた履き口への使用者の手の挿入のために、付着した前記各層が、前記供給装置の動作により互いから引き離されて前記手袋を開く、手袋開口要素。
４０．手袋のパッケージから手袋を供給するための手袋供給装置の手袋開口要素の支持体に取り付けられるように構成されるグリップ部であって、前記手袋は、列をなして互いに接合され、前記手袋のうちの互いに隣り合う手袋が、前記手袋を互いから分離するように破断可能な脆性連結部によって連結され、前記グリップ部が、前記手袋の層に接触するように配置される粘着性表面を有して、前記供給装置の手袋開口動作中、前記粘着性表面に前記手袋の層を一時的に付着させて、前記開いた手袋への使用者の手の挿入を可能にする、グリップ部。
４１．手への手袋の衛生的な配置の方法であって、
前記手袋の供給のための供給装置に使い捨て手袋を装填するステップであって、各手袋が、第１および第２の層から形成され、前記供給装置が、粘着性表面を含む手袋開口システムを備え、前記手袋開口システムは、前記粘着性表面が各手袋の前記第１および第２の層に付着するように、前記第１および第２の層に前記粘着性表面を接触させ、その後、前記手袋の付着した前記第１および第２の層を互いから引き離して、使用者が前記手袋の開いた履き口に自身の手を挿入することを可能にするように動作可能である、ステップと、
前記供給装置の前記手袋開口システムを作動させるステップであって、それにより、前記手袋開口システムの前記粘着性表面が、前記手袋の前記第１および第２の層に付着し、前記手袋への使用者の手の挿入のために前記第１および第２の層を互いから引き離して前記手袋を開く、ステップと、を含む、方法。
４２．使用者の手への手袋の衛生的な配置の方法であって、
前記手袋の供給のための供給装置に使い捨て手袋のパッケージを装填するステップであって、前記パッケージが、列をなして互いに接合される複数の手袋を備え、前記手袋のうちの互いに隣り合う手袋が、前記手袋を互いから分離するように破断可能な第１の脆性連結部によって互いに連結され、手袋縁部が、前記第１の脆性連結部に交差して配置されて各手袋の開いた履き口を形成し、各手袋の少なくとも１つの指部が、前記手袋の隣り合う指部または親指部に、前記第１の脆性連結部とは別の脆性連結部によって連結され、前記別の脆性連結部は、前記手袋の互いに連結された前記指部または互いに連結された前記指部及び前記親指部を、互いから分離するように破断可能であり、各手袋が、第１および第２の層から形成される、ステップと、
前記手袋の列から手袋を供給するための前記供給装置を作動させるステップであって、
前記供給装置が、前記手袋の列を送り出して前記供給装置の手挿入ゾーンに前記列の端部の前記手袋を配置する手袋列送り機構と、粘着性表面を含む手袋開口システムと、を備え、前記手袋開口システムは、前記粘着性表面が前記端部の手袋の前記第１および第２の層に付着するように、前記第１および第２の層に前記粘着性表面を接触させ、その後、前記手袋の付着した前記第１および第２の層を互いから引き離して使用者が前記手袋の前記開いた履き口に自身の手を挿入することを可能にするように動作可能である、ステップと、を含む、方法。
４３．手袋の衛生的な供給方法であって、
前記手袋の供給のための供給装置に装填されるための、使い捨て手袋のパッケージを提供するステップであって、前記パッケージが、列をなして互いに接合される複数の手袋を備え、前記手袋のうちの互いに隣り合う手袋が、前記手袋を互いから分離するように破断可能な第１の脆性連結部によって互いに連結され、手袋縁部が、前記第１の脆性連結部に交差して配置されて各手袋の開いた履き口を形成し、各手袋の少なくとも１つの指部が、前記手袋の隣り合う指部または親指部に、前記第１の脆性連結部とは別の脆性連結部によって連結され、前記別の脆性連結部は、前記手袋の互いに連結された前記指部または互いに連結された前記指部及び前記親指部を互いから分離するように破断可能であり、各手袋が、第１および第２の層から形成される、ステップと、
前記供給装置に使い捨て手袋の前記パッケージを装填するステップと、
前記手袋の列から手袋を供給するための前記供給装置を作動させるステップであって、前記供給装置が、前記手袋の列を送り出して前記供給装置の手挿入ゾーンに前記列の端部の前記手袋を配置する手袋列送り機構と、粘着性表面を含む手袋開口システムと、を備え、前記手袋開口システムは、前記粘着性表面が前記手袋の前記第１および第２の層に付着するように、前記第１および第２の層に前記粘着性表面を接触させ、その後、前記手袋の付着した前記第１および第２の層を互いから引き離して使用者が前記手袋の前記開いた履き口に自身の手を挿入することを可能にするように動作可能である、ステップと、を含む、方法。